(57)【要約】【課題】機器本体と可動モニタ装置との間に必要とされる移動用ギャップに異物が誤挿入されることを確実に防止できる車載用電子機器を提供すること。【解決手段】メディア挿入口６を有する機器本体２上に移動用ギャップ８を存して可動モニタ装置３を積層配置し、可動モニタ装置３の前面側に機器本体の上面に向かって垂下する突部９ａを設け、この突部９ａと移動用ギャップ８とを正面視オーバーラップさせた。このように構成された車載用電子機器では、可動モニタ装置３が機器本体２上に水平な姿勢で収納されているとき、移動用ギャップ８の手前側の隙間Ｓの一部が突部９ａによって塞がれるので、メディア等の異物を誤って移動用ギャップ８内に挿入してしまうという誤挿入を確実に防止することができ、しかも、可動モニタ装置３の前後進時に突部９ａは移動用ギャップ８の手前側のみを移動するだけであるため、可動モニタ装置３のスムーズな前後進動作を確保することができる。【選択図】　　　図４
2004034806.tif 000002
【特許請求の範囲】
【請求項１】
前面部に少なくとも操作釦を有する機器本体と、この機器本体の上方に移動用ギャップを存して積層配置された可動モニタ装置とを備え、この可動モニタ装置を前記移動用ギャップに沿って前進させると共に起立させることにより、該可動モニタ装置の表示画面が前記機器本体の前面側に露出される車載用電子機器において、
前記可動モニタ装置の後退位置での前面側に前記機器本体の上面に向かって垂下する突部を設け、この突部と前記移動用ギャップとを正面視オーバーラップさせたことを特徴とする車載用電子機器。
【請求項２】
請求項１の記載において、前記突部を前記可動モニタ装置の幅方向中央部に設けたことを特徴とする車載用電子機器。
【請求項３】
請求項２の記載において、前記突部を下側に突出する円弧状に形成したことを特徴とする車載用電子機器。
【請求項４】
請求項１〜３のいずれかの記載において、前記機器本体の前面上端部に前記突部との接触を回避する切欠き部を設け、前記可動モニタ装置の後退位置で前記突部をこの切欠き部内に挿入したことを特徴とする車載用電子機器。
【請求項５】
請求項１〜４のいずれかの記載において、前記機器本体の前面部に横長形状のメディア挿入口が開設されていることを特徴とする車載用電子機器。
【発明の詳細な説明】
【０００１】
【発明の属する技術分野】
本発明は、メディア挿入口等を有する機器本体上に表示画面を有する可動モニタ装置が積層配置され、この可動モニタ装置を前進させると共に起立させることにより、表示画面が機器本体の前面側に露出するように構成された車載用電子機器に関する。
【０００２】
【従来の技術】
近年、多機能型の車載用電子機器において、メディア挿入口や操作釦を有する機器本体上に表示画面を有する可動モニタ装置を積層配置し、この可動モニタ装置を機器本体の前面に対して出没自在としたものが普及しつつある。かかる車載用電子機器は、搭乗者が表示画面を見ないときには可動モニタ装置を水平な姿勢で機器本体上に収納しておき、例えばメディア挿入口からＤＶＤ等のメディアを挿入して表示画面に再生するときに、可動モニタ装置を前進させて所定角度だけ起立させることにより、表示画面を搭乗者の見やすい位置に露出させるようにしたものであり、機器本体上方の限られたスペースに大型の表示画面を配置できるという利点がある。
【０００３】
【発明が解決しようとする課題】
この種の可動モニタ装置を備えた車載用電子機器では、可動モニタ装置を機器本体の上面に沿ってスムーズに前後進させるために、可動モニタ装置と機器本体の上面との間に移動用ギャップが必要となる。このような理由から、前述した従来の車載用電子機器においては、可動モニタ装置が水平な姿勢で機器本体上に収納されているとき、可動モニタ装置の下面と機器本体の上面間に横長形状の隙間ができてしまい、この隙間から移動用ギャップ内に異物が誤挿入されるという問題があった。特に、機器本体の前面部に横長形状のメディア挿入口が開設されている場合、上記隙間がメディア挿入口の上部近傍に平行にできてしまうため、搭乗者がメディア挿入口からＣＤやＤＶＤ等のメディアを挿入しようとしたとき、誤って上記隙間にメディアを挿入してしまう可能性が高くなり、異物の誤挿入という問題は顕著なものとなる。
【０００４】
本発明は、このような従来技術の実情に鑑みてなされたもので、その目的は、機器本体と可動モニタ装置との間に必要とされる移動用ギャップに異物が誤挿入されることを確実に防止できる車載用電子機器を提供することにある。
【０００５】
【課題を解決するための手段】
本発明は、可動モニタ装置の後退位置における前面側に機器本体の上面に向かって垂下する突部を設け、この突部と移動用ギャップとを正面視オーバーラップさせることとする。可動モニタ装置にこのような突部を設けると、可動モニタ装置が水平な姿勢で機器本体上に収納されているとき、可動モニタ装置の下面と機器本体の上面との間にできる横長形状の隙間に対して突部が正面視オーバーラップするため、メディア等の異物が隙間から移動用ギャップ内に誤挿入されることはなくなる。また、可動モニタ装置を収納状態から起立させる前進動作時や、その逆に可動モニタ装置を起立状態から収納させる後退動作時において、突部は移動用ギャップの手前側のみを移動するだけであるため、突部によって可動モニタ装置のスムーズな前後進動作が妨げられることはない。
【０００６】
【発明の実施の形態】
本発明の車載用電子機器では、前面部に少なくとも操作釦を有する機器本体と、この機器本体の上方に移動用ギャップを存して積層配置された可動モニタ装置とを備え、この可動モニタ装置を前記移動用ギャップに沿って前進させると共に起立させることにより、該可動モニタ装置の表示画面が前記機器本体の前面側に露出される車載用電子機器において、前記可動モニタ装置の後退位置での前面側に前記機器本体の上面に向かって垂下する突部を設け、この突部と前記移動用ギャップとを正面視オーバーラップさせた。
【０００７】
このように構成された車載用電子機器によれば、可動モニタ装置が水平な姿勢で機器本体上に収納された後退位置にあるとき、可動モニタ装置の下面と機器本体の上面との間にできる横長形状の隙間に対して突部が正面視オーバーラップするため、メディア等の異物が隙間から移動用ギャップ内に誤挿入されることを確実に防止でき、しかも、可動モニタ装置の前後進時に突部は移動用ギャップの手前側のみを移動するだけであるため、可動モニタ装置のスムーズな前後進動作を確保することができる。
【０００８】
上記の構成において、移動用ギャップの幅方向における突部の位置は特に限定されないが、突部を可動モニタ装置の幅方向中央部に設けることが好ましく、また、突部の形状も特に限定されないが、突部を下側に突出する円弧状に形成することが好ましい。
【０００９】
また、上記の構成において、機器本体の前面上端部に突部との接触を回避する切欠き部を設け、可動モニタ装置の後退位置で突部をこの切欠き部内に挿入することが好ましく、このような切欠き部を機器本体に設けると、可動モニタ装置の収納時に突部が移動用ギャップを通って機器本体の切欠き部内に達するため、異物の誤挿入をより確実に防止することができると共に、可動モニタ装置の前後進時に突部と機器本体との干渉が切欠き部によって回避されるため、可動モニタ装置のよりスムーズな前後進動作を実現することができる。
【００１０】
また、上記の構成において、機器本体はその前面部に少なくとも操作釦を有するものであれば良いが、特に機器本体の前面部に横長形状のメディア挿入口が開設されているものに適用することが好ましい。すなわち、このようなメディア挿入口を有する機器本体の場合、メディア挿入口からＣＤやＤＶＤ等のメディアを挿入する頻度が高くなるが、メディアの上記隙間から移動用ギャップ内への誤挿入を突部によって確実に防止することができる。
【００１１】
【実施例】
実施例について図面を参照して説明すると、図１は車載用電子機器の可動モニタ装置が収納されている状態を示す正面図、図２は該車載用電子機器の斜視図、図３は該車載用電子機器の可動モニタ装置が起立している状態を示す正面図、図４は図１のＡ−Ａ線に沿う断面図である。
【００１２】
これらの図において、符号１は車載用電子機器の外殻を形成する箱形形状の筐体を示し、この筐体１には機器本体２と可動モニタ装置３とが上下２段に積層配置されている。機器本体２の前面部には、操作つまみ４やイジェクト釦５ａを含む複数の操作釦５が配設されると共に、その略中央部上側にはＣＤやＤＶＤ等のディスク状メディアを挿入／排出するための横長形状のメディア挿入口６が開設されている。また、機器本体２の内部には、メディアの搬送機構や光ピックアップ等からなる図示せぬ再生装置が配設されている。
【００１３】
可動モニタ装置３はＬＣＤからなる表示画面７を有し、この表示画面７の非使用状態において、可動モニタ装置３は表示画面７を下面に向けた水平な姿勢で機器本体２上に収納されている。図示省略されているが、筐体１の内部には、可動モニタ装置３を前後進させることのできるスライド移動駆動機構と、可動モニタ装置３を前進位置で回動させることのできる回転移動駆動機構とが配設されており、これらスライド移動駆動機構と回転移動駆動機構を用いて可動モニタ装置３を前進させ且つ起立させることにより、表示画面７は筐体１から突出して機器本体２の上方に起立状態で露出するようになっている（図３参照）。その際、可動モニタ装置３のスムーズな前後進動作を行わせるために、機器本体２の上面と可動モニタ装置３の下面との間には移動用ギャップ８が確保されている。
【００１４】
また、可動モニタ装置３の収納状態（後退位置）での前面側には、例えばこの可動モニタ装置３を使用状態に起立させるための操作釦３ａが配設されると共に、スケールプレート９が取り付けられている。このスケールプレート９は例えば黒く着色されたアクリル樹脂材からなり、可動モニタ装置３の前面部の化粧板として機能する。スケールプレート９には正面から見て下側へ円弧状に突出する突部９ａが形成されており、この突部９ａは移動用ギャップ８の手前側（図４の右端部）の隙間Ｓを通って機器本体２の上面方向へ垂下している。一方、機器本体２の前面上端部に切欠き部２ａが形成されており、最も突出量の大きい突部９ａの中央部下端はこの切欠き部２ａ内に挿入されている。すなわち、可動モニタ装置３が水平な姿勢で機器本体２上に収納されているとき、機器本体２の上面と可動モニタ装置３の下面と間に本来できるはずの移動用ギャップ８の横長形状の開口端（隙間Ｓ）に対して突部９ａが正面視オーバーラップしており、この突部９ａは中央部の下端が切欠き部２ａ内に挿入することにより、機器本体２の前面上端部との接触が回避されている。なお、可動モニタ装置３の収納状態（後退位置）での後面側にも同様の突部１０が設けられており、図３に示すように、表示画面７が露出する可動モニタ装置３の起立状態において、この突部１０は移動用ギャップ８の手前側の隙間Ｓを通って機器本体２の切欠き部２ａ内に挿入されている。なお、機器本体２の切欠き部２ａは、メディア挿入口６を画成する上壁部の前端が部分的に後方へ向かって凹状に切り欠かれて形成されたものである。よって、この切欠き部２ａに入り込む突部９ａは、メディア挿入口６を囲む壁面の一部として機能する。
【００１５】
このように構成された車載用電子機器では、可動モニタ装置３の収納状態において、図１と図２に示すように、この可動モニタ装置３は表示画面７を下面に向けた水平な姿勢で機器本体２上に収納されており、突部９ａは移動用ギャップ８の手前側の隙間Ｓを通って機器本体２の切欠き部２ａ内に達している。すなわち、可動モニタ装置３が筐体１内に収納されている待機状態では、可動モニタ装置３の下面と機器本体２の上面との間にできる横長形状の隙間Ｓの大部分が突部９ａによって塞がれているため、薄板状の異物を移動用ギャップ８内に誤挿入することを防止でき、特に、メディア挿入口６に挿入しようとしたディスク状のメディアを誤って移動用ギャップ８に挿入するという事故を確実に防止できると共に、突部９ａがメディアの挿入をガイドするガイド部として機能し、メディアをメディア挿入口６に確実に導くことができる。
【００１６】
一方、可動モニタ装置３が筐体１内に収納されている待機状態において、前記操作釦３ａ等を押圧操作すると、前述したスライド移動駆動機構と回転移動駆動機構が始動し、機器本体２上に収納されていた可動モニタ装置３が前進しながらまたは前進動作完了後に起立し、図３に示すように、表示画面７が筐体１から突出して機器本体２の上方に露出する。この場合、可動モニタ装置３の前面側に設けられた突部９ａは機器本体２と非接触の状態で切欠き部２ａから前方へ移動するため、突部９ａによって可動モニタ装置３のスムーズな前進動作が妨げられることはなく、この突部９ａは可動モニタ装置３の起立状態で表示画面７の真上に位置する。また、可動モニタ装置３の後面側に設けられた突部１０は移動用ギャップ８の上方を機器本体２の上面と非接触の状態で前方へ移動するため、突部１０によって可動モニタ装置３のスムーズな前進動作が妨げられることもない。なお、この突部１０は可動モニタ装置３の起立状態で表示画面７の真下に位置し、可動モニタ装置３の下端にできる移動用ギャップ８の隙間Ｓの大部分が突部１０によって塞がれるため、可動モニタ装置３の起立時にもメディア等の異物が移動用ギャップ８へ誤挿入されることを確実に防止できる。また、可動モニタ装置３が起立状態にあるときに、突部１０が切欠き部２ａ内に入り込むようにすれば、この起立状態においてもメディア挿入口６に対するメディアの挿入動作がスムーズに行える。
【００１７】
そして、可動モニタ装置３が筐体１から突出して起立状態にあるときに、表示画面７にテレビ画像やナビゲーション用の地図の表示を行わせ、あるいはメディア挿入口６にＤＶＤ等が挿入されたときには、挿入されたメディアの記録情報（動画等）が再生装置によって再生されると共に、その再生情報が可動モニタ装置３の表示画面７に表示される。また、かかる可動モニタ装置３の起立状態において、前記操作釦３ａを押圧操作すると上記と逆の動作が実行され、可動モニタ装置３が再び表示画面７を下面に向けた水平な姿勢で機器本体２上に収納され、また、機器本体２の前面部に配置されたイジェクト釦５ａを押圧操作すると、メディア挿入口６からメディアが排出される。
【００１８】
上記実施例にあっては、メディア挿入口６を有する機器本体２上に移動用ギャップ８を存して可動モニタ装置３を積層配置し、この可動モニタ装置３が機器本体２上に水平な姿勢で収納されているとき、移動用ギャップ８に対して正面視オーバーラップする突部９ａを可動モニタ装置３の前面側に設けたので、メディア挿入口６に挿入しようとしたメディアを誤って移動用ギャップ８内に挿入してしまうという誤挿入を確実に防止することができる。また、機器本体２の前面上端部に突部９ａとの接触を回避する切欠き部２ａを設け、可動モニタ装置３の収納時に突部９ａが移動用ギャップ８を通って切欠き部２ａ内に達するようにしたので、メディアの誤挿入をより確実に防止することができると共に、可動モニタ装置３の前後進時に突部９ａと機器本体２との干渉が切欠き部２ａによって回避されるため、可動モニタ装置３のよりスムーズな前後進動作を実現することができる。さらに、突部９ａを正面から見て下側に突出する円弧状に形成し、この突部９ａの最も突出量の大きい中央部下端を切欠き部２ａ内に挿入するようにしたので、移動用ギャップ８の手前側の隙間Ｓの大部分を突部９ａによって塞ぐことができるだけでなく、切欠き部２ａを最小限の幅寸法に設定することができ、しかも、このような形状の突部９ａを化粧板として機能するスケールプレート９に一体形成したので、意匠性を高めることができる。
【００１９】
なお、上記実施例では、可動モニタ装置３に後付けしたスケールプレート９に突部９ａを形成した場合について説明したが、このような突部９ａを可動モニタ装置３の外装ケースに一体形成したり、可動モニタ装置３に後付けされる別の部材に形成することも可能である。
【００２０】
【発明の効果】
本発明は、以上説明したような形態で実施され、以下に記載されるような効果を奏する。
【００２１】
機器本体上に移動用ギャップを存して可動モニタ装置を積層配置し、この可動モニタ装置の後退位置における前面側に機器本体の上面に向かって垂下する突部を設けると共に、この突部と移動用ギャップとを正面視オーバーラップさせたので、可動モニタ装置が水平な姿勢で機器本体上に収納されているとき、メディア等の異物が移動用ギャップ内に誤挿入されることを突部によって確実に防止できると共に、可動モニタ装置の前後進時に突部は移動用ギャップの手前側のみを移動するだけであるため、可動モニタ装置のスムーズな前後進動作を確保することができる。
【図面の簡単な説明】
【図１】実施例に係る車載用電子機器の可動モニタ装置が収納されている状態を示す正面図である。
【図２】該車載用電子機器の斜視図である。
【図３】該車載用電子機器の可動モニタ装置が起立している状態を示す正面図である。
【図４】図１のＡ−Ａ線に沿う断面図である。
【符号の説明】
１　筐体
２　機器本体
２ａ　切欠き部
３　可動モニタ装置
４　操作つまみ
５　操作釦
６　メディア挿入口
７　表示画面
８　移動用ギャップ
９　スケールプレート
９ａ　突部
１０　突部
【図１】
2004034806.tif 000003
【図２】
2004034806.tif 000004
【図３】
2004034806.tif 000005
【図４】
2004034806.tif 000006